(57)【要約】【課題】飼い主及び介護を要するペットの疲労や負担を軽減し、非使用時には小型化して収納可能な介護ペット用ケージを提供する。【解決手段】取っ手１を設けた支持フレーム２に、複数の枠骨３の頂部３１を畳み込み或いは枢着可能に連結させて構成された本体フレーム１０と、この本体フレーム１０の下部に取付けられるトレー２０とを組合わせて構成してなる。【選択図】図１
2005278652.tif 000002
【特許請求の範囲】
【請求項１】
取っ手を設けた支持フレームに、複数の枠骨を畳み込み或いは枢着可能に連結させて構成された本体フレームと、
この本体フレームの下部に取付けられるトレーとを組合わせて構成された、介護ペット用ケージ。
【請求項２】
取っ手を設けた支持フレームに複数の枠骨を連結して構成された本体フレームと、
この本体フレームの下部に取付けられるトレーと、
上記トレーの上方又は下方より、上記トレー及び上記本体フレームを包み込むようにして取付けられる透光性フードとを組合わせて構成された、介護ペット用ケージ。
【請求項３】
請求項１または２の何れかにおいて、
上記枠骨の下端に、キャスターを取り付けた構造にしている、介護ペット用ケージ。
【請求項４】
請求項１〜３の何れかにおいて、
上記枠骨の外方に、携帯酸素ボンベ取付部を設けた構造にしている、介護ペット用ケージ。
【発明の詳細な説明】
【技術分野】
【０００１】
本発明は、犬、猫等のペットの赤ちゃんや、介護の必要なペットに好適なペット用ケージに関する。
【背景技術】
【０００２】
一般に、屋内で飼われる犬、猫等のペットは、玄関内に設置されたペット小屋、或いは部屋内の所定位置に設置されたペット小屋を住家として飼われている。
【０００３】
ところが、最近のペットショップでは、生れたばかりの子犬なども販売されており、このような子犬は、自立していないため、飼い主が付き添っていなければ、食事や就寝等を上手くできない。
【０００４】
また、怪我や病気で療養が必要なペットや、老衰が激しいペットなども上記同様、飼い主が付き添っていなければ、食事や就寝等を上手くできない。
【０００５】
そのため、飼い主は、これら付き添いが必要なペットを傍に置いて、十分な介護を行いたいと要望している。
【０００６】
一方、これら介護を必要とするペットを移動したりする場合には、当該ペットを飼い主が担いで移動するか、或いは、周知のペット用キャリアケースにペットを入れて移動するしかなかった（例えば、特許文献１参照。）。
【特許文献１】特開平２−１６３０１９号
【発明の開示】
【発明が解決しようとする課題】
【０００７】
しかしながら、飼い主が、ペットを移動する度に担ぐことは、疲労や負担が大きく、非力な飼い主には、尚更である。
【０００８】
また、前記ペット用キャリアケースは、移動や運搬に適しているが、移動の度にペットを出し入れするため、飼い主だけでなく、ペットの疲労や負担も大きいことに加え、しかも移動後のペット用キャリアケースが邪魔になるという問題がある。
【０００９】
更に、前記ペット用キャリアケースには、内部の様子が見える覗き窓が形成されているものが多いが、前記覗き窓からは、内部のペットの一部しか見ることができず、ペットの全体の様子を見ることができないという問題もある。
【００１０】
本発明は、かかる課題を解決することを目的とするもので、飼い主及び介護を要するペットの疲労や負担を軽減できるうえ、不要な時には小型化して収納可能な介護ペット用ケージを提供する。
【課題を解決するための手段】
【００１１】
上記目的を達成するため、
請求項１に係る介護ペット用ケージは、取っ手を設けた支持フレームに、複数の枠骨の頂部を畳み込み或いは枢着可能に連結させて構成された本体フレームと、この本体フレームの下部に取付けられるトレーとを組合わせて構成されてなる。
【００１２】
請求項２に係る介護ペット用ケージは、取っ手を設けた支持フレームに複数の枠骨を連結して構成された本体フレームと、この本体フレームの下部に取付けられるトレーと、上記トレーの上方又は下方より、上記トレー及び上記本体フレームを包み込むようにして取付けられる透光性フードとを組合わせて構成してなる。
【００１３】
請求項３に係る介護ペット用ケージは、請求項１または２の何れかのおいて、上記枠骨の下端に、キャスターを取り付けた構造にしてなる。
【００１４】
請求項４に係る介護ペット用ケージは、請求項１〜３の何れかにおいて、上記枠骨の外方に、携帯酸素ボンベ取付部を設けた構造にしてなる。
【発明の効果】
【００１５】
本発明によれば、次のような効果がある。
請求項１に係る介護ペット用ケージによれば、取っ手を設けた支持フレームに、枠骨の頂部を畳み込み或いは枢着して構成された本体フレームと、トレーとを組合わせて構成されているため、
【００１６】
飼い主は、ペットの全体の様子を観察することができ、一方、ペットは、外景や飼い主の姿が見えるので、お互いを確認することができ、安心できる。
【００１７】
また、ペットの移動に際しては、支持フレームの取っ手を持ち上げれば、当該ペットを出し入れすることなく、所望の場所まで移動することができ、飼い主及びペットの疲労や負担を軽減できる。
【００１８】
更に、支持フレームと枠骨が畳み込み或いは枢着されているので、本体フレームを支持フレームに対して畳み込み或いは回動すれば、複数の枠骨をコンパクトに折り畳むことができ、不要な場合には小型化して収納できる。
【００１９】
請求項２に係る介護ペット用ケージによれば、取っ手を設けた支持フレームに、枠骨のみで構成した本体フレームと、トレーとを組合わせ、更に透光性フードを取付けて構成されているため、ペットの容態に応じて、外部との通気や光等を遮蔽し、内部の温度や照度具合を調節できると共に、請求項１と同様、飼い主は、ペットの全体の様子を観察することができ、一方、ペットは、外景や飼い主の姿が見えるので、お互いを確認することができ、安心できる。
【００２０】
また、ペットの移動に際しては、透光性フードを取付けたままの状態で、支持フレームの取っ手を持ち上げれば、当該ペットを出し入れすることなく、所望の場所まで移動することができ、飼い主及びペットの疲労や負担を軽減できる。
【００２１】
請求項３に係る介護ペット用ケージによれば、枠骨の下端にキャスターを取り付けた構造にしているので、ペットの移動に際して、本体フレーム又はトレーを押すだけで簡単に移動することができ、非力な飼い主でも、ペットを容易に所望の位置に移動できる。
【００２２】
請求項４に係る介護ペット用ケージによれば、枠骨の外方に携帯酸素ボンベ取付部を設けているので、例えば、ぜんそく等の病気や瀕死の状態にあるペットを収容したままで、酸素補給を外部から簡単に行うことができる。
【発明を実施するための最良の形態】
【００２３】
以下、本発明に係る介護ペット用ケージＡを図面とともに説明する。
【実施例１】
【００２４】
図１は、本発明に係る介護ペット用ケージＡの一実施例を示す分解斜視図であり、図２は、図１を組立てた状態を示す斜視図である。
【００２５】
この介護ペット用ケージＡは、取っ手１を設けた支持フレーム２に、複数の枠骨３の頂部３１を軸ピン２１で枢着可能に連結させて構成された本体フレーム１０と、この本体フレーム１０の下部に取付けられるトレー２０とを組合わせて構成されている。
【００２６】
取っ手１は、支持フレーム２の中央に配置され、ヒンジ１１を介して支持フレーム２に対して起倒可能に取付けされている。
【００２７】
支持フレーム２及び枠骨３は、軽量化を図ると共に必要な強度を得るため、金属製又は樹脂製の板材或いは、むく形状又は、パイプ管で形成されている。
【００２８】
本実施例の枠骨３は、逆U状に形成しており、これら複数の枠骨３の頂部３１を支持フレーム２に枢着して連結されているが、その形状には限定されない。
【００２９】
ここで、枢着の手段は、周知な手段を採用することができ、図１では、支持フレーム２の上方から軸ピン２１を、支持フレーム２及び枠骨３の頂部３１に貫通させ、その軸ピン２１の下端をカシメ止めしているので枠骨３は軸ピン２１を回転軸にして、支持フレーム２の軸方向と直交するように回動させて畳むことができるが、図４に示すように、支持フレーム２の軸方向に沿うように折り曲げて畳むようにしてもよい。
【００３０】
要は、非使用時には、搬送時、梱包の便宜を図るために支持フレーム２と枠骨３とが嵩張らずに収容できるようになっていればよい。
【００３１】
また、本実施例では、収容されるペットの開放感や、飼い主との安心感を高めるために、３本の枠骨３を支持フレーム２に枢着したものを例示しているが、介護されるペットの大きさや、容態等に応じて、枠骨３の本数は適宜変更することができる。
【００３２】
このような本体フレーム１０の下部には、トレー２０を取付けている。
【００３３】
トレー２０は、ペットを保持可能な板材２１で形成され、その周縁には起立壁２２を形成して剛性を高めるとともに、ペットの餌や水などがトレー２０よりこぼれ落ちないようにしている。
【００３４】
また、板材２１上には、必要に応じて、布団、クッションなどを敷設しても良いし、或いは、板材２１の上にネット材を置いて、ペットが排泄した排泄物をトレー２０に落とし込むようにして、ペットが踏みつけないようにしてもよい。
【００３５】
トレー２０の板材２１には、複数の枠骨３下端を着脱可能に取付け可能な取付部２３を設けている。
取付部２３として最も簡単な構造のものでは、トレー２０に貫通孔を形成して、枠骨３の下端を貫通させる構造にしてもよいが、後述する枠骨３の下部同士を相互に連結するフレームを設けておき、このフレームに、トレー２０を引っ掛けて係止させる構造にしても良い。
【００３６】
また、枠骨３の下端に位置されたトレー２０の下端四隅には、キャスター３０の取付台２５を設け、この取付台２５にキャスター３０を取付けているので、本体フレーム１０を押すだけで、簡単に移動可能にしている。
【００３７】
このような本発明に係る介護ペット用ケージＡによれば、飼い主は、収容されたペットの全体の様子を観察することができる一方、ペットは、外景や飼い主の姿が見えるので、お互いを確認することができる。
【００３８】
また、ペットの移動に際しては、取っ手１を掴んで全体を持ち上げれば、当該ペットを出し入れすることなく、所望の場所まで簡単に移動することができるので、生まれたばかりの赤ちゃんや、動かすことができない介護が必要なペットに好適である。
【００３９】
図３及び図４は、本体フレーム１０の折り畳み動作を示す概略動作図であり、図３は、複数の枠骨３の頂部を支持フレーム２に軸ピン２１で枢着させ、収納時には、枠骨３のそれぞれを支持フレーム２に直交する方向に回動させる構造のもの、図４は、複数の枠骨３の頂部を支持フレーム２にヒンジピン２１′で固着させ、収納時には、枠骨のそれぞれを支持フレーム２の軸方向に沿うようにして倒して折り畳まれる構造のものを示している。
【００４０】
介護ペット用ケージＡを収容する場合は、本体フレーム１０とトレー２０とを分離させたうえで、図３（ａ）、（ｂ）で示すように、枠骨３を支持フレーム２に対して図中矢印で示すように回動させるか、或いは、図４（ａ）、（ｂ）で示すように、枠骨３を図中矢印で示すように支持フレーム２側に向けて倒せば、複数の枠骨３が邪魔にならず、小型化して収納できる。
【実施例２】
【００４１】
図５は、本発明に係る介護ペット用ケージＡの他の実施例を示す分解斜視図であり、図６は、図５を組立てた状態を示す斜視図であり、図７は、本発明に係る介護ペット用ケージＡの更に他の実施例を示す分解斜視図であり、図８は、図７を組立てた状態を示す斜視図である。
【００４２】
なお、図１〜図４で示した部材と共通する部材には、同一番号を付して、その説明は省略し、ここでは、夫々の特徴についてのみ説明する。
【００４３】
本実施例で示した介護ペット用ケージＡは、取っ手１を設けた支持フレーム２に複数の枠骨３を連結して構成された本体フレーム１０と、この本体フレーム１０の下部に取付けられるトレー２０と、トレー２０の上方又は下方より、トレー２０及び本体フレーム１０を包み込むようにして取付けられる透光性フード４０とを組合わせて構成している。
【００４４】
図５及び図６で示した介護ペット用ケージＡは、透光性フード４０を展開させた状態でトレー２０の下方より、トレー２０及び本体フレーム１０を包み込むようにして取付けられる態様を示し、図７及び図８で示した介護ペット用ケージＡは、予め保形された透光性フード４０が、トレー２０の上方より被せられ、本体フレーム１０及びトレー２０を包み込むようにして取付けられるものを示している。
【００４５】
図５で示した透光性フード４０は、通気性のある布、不織布、又は透明シートを所定の形状に切断して形成する。
【００４６】
また、この透光性フード４０には、トレー２０の下端四隅にキャスター３０が取付けられているため、その対応する位置に切込み４１ａを備えた取付孔４１を形成することで、キャスター３０を取付けたままで、透光性フード４０の着脱を可能にしている。
【００４７】
更に、透光性フード４０の周縁には、面ファスナーを設けて、着脱可能な接合部４２を形成している。なお、取っ手１に対応する位置には、これを突出させる切欠部４３を設けている。
【００４８】
このような透光性フード４０としては、通気性を有し、しかも内部に収容したペットが安らぎくつろぐために、外景、飼い主の姿が見え、飼い主の体温、匂いを確認できる金網なども望ましいが、逆に、外気や外部光と遮断するほうが良い場合には、通気性のない有色シート、布などが採用され、介護するペットの使用目的に応じて選択される。
【００４９】
図７で示した透光性フード４０は、透明な樹脂で一体形成した保形性を備えたものである。なお、取っ手１に対応する位置には、これを突出させるための切欠部４３を設け、図８で示すように、取っ手１が突出するようにしてトレー２０の上方より覆い被せて、本体フレーム１０及びトレー２０を包み込むようにして取付けるようになっている。
【００５０】
図９（ａ）、（ｂ）は、本体フレーム１０の更に他の例を示した折り畳み動作を示す概略動作図であり、図１０は、図９で示された本体フレーム１０を用いた本発明に係る介護ペット用ケージＡの更に他の実施例を示す分解斜視図である。
【００５１】
この本体フレーム１０は、複数の枠骨３の各々の下端を、長手方向に亘ってフレーム３２で枢着して構成された、所謂、パンタグラフの構造にしたものである。
【００５２】
そのため、これら２本のフレーム３２を、図９（ａ）の矢印で示すように、各々逆方向に押圧すれば、枠骨３は、図９（ｂ）で示すように、軸ピン２１及び枠骨３下端を中心にして各々回動して折り畳まれるので、複数の枠骨３が邪魔にならず、小型化して収納できる。
【００５３】
更に、この図９で示した本体フレーム１０を用いた場合の本発明に係る介護ペット用ケージＡを図１０に示している。
この図１０では、枠骨３をトレー２０に直接取付けできないため、フレーム３２をトレー２０に取付ける構造にしている。
【００５４】
ここでは、トレー２０の長辺側の起立壁２２上端を各々外方に延設させた鍔片２６を形成し、この鍔片２６をフレーム３２に引っ掛けて係止させる構造にしたものを例示している。
【００５５】
なお、トレー２０とフレーム３２を係止させる構造は、本実施例に限定されるわけではなく、要は、本体フレーム１０を持ち上げたときに、この本体フレーム１０とトレー２０とが確実に連結される構造のものであれば採用できる。
【００５６】
更に、外面に面ファスナーを備えた補強カバー３３を、両端に配置された枠骨３の外方から各々取付けておけば、この補強カバー３３に透光性フード４０の接合部４２が係止できるので、透光性フード４０が捲れることなく確実に取付けできる。
【００５７】
図１１は、図１〜図１０で示した枠骨３の外方に、携帯酸素ボンベＢ等の器具を連結するための携帯酸素ボンベ取付部５０を設けた構造を示す概略説明図である。
【００５８】
図１１では、図７〜図１０で示した透光性フード４０に設けたものを例示しており、トレー２０の一部から外方に延設された器具支持部５１を形成し、この器具支持部５１に携帯酸素ボンベＢ等の器具を設置すると共に、携帯酸素ボンベＢの噴射口を携帯酸素ボンベ取付部５０に取付けて使用するものである。
【００５９】
このものでは、携帯酸素ボンベＢ等を簡易に設置できるので、例えば、ぜんそく等の病気や瀕死の状態にあるペットを収容したままで、酸素補給を外部から簡単に行うことができる。なお、透光性フード４０は、携帯酸素ボンベＢを使用しないとき、又は、気温が高いとき等では、通気性のあるメッシュ素材で形成するのが望ましく、更に、病気等が回復して元気になったペットに対しては、模様などが描かれたデザイン性のある透光性フード４０に着せ替えることも可能であり、ペットの健康状態に応じて色々な着せ替えをすることができる。
【図面の簡単な説明】
【００６０】
【図１】本発明に係る介護ペット用ケージＡの一実施例を示す分解斜視図である。
【図２】図１を組立てた状態を示す斜視図である。
【図３】本体フレームの折り畳み動作を示す概略動作図である。
【図４】本体フレームの折り畳み動作を示す他例の概略動作図である。
【図５】本発明に係る介護ペット用ケージの他の実施例を示す分解斜視図である。
【図６】図５を組立てた状態を示す斜視図である。
【図７】本発明に係る介護ペット用ケージの更に他の実施例を示す分解斜視図である。
【図８】図７を組立てた状態を示す斜視図である。
【図９】本体フレーム１０の更に他の例を示した折り畳み動作を示す概略動作図である。
【図１０】図９で示された本体フレーム１０を用いた本発明に係る介護ペット用ケージＡの更に他の実施例を示す分解斜視図である。
【図１１】図１〜図１０で示した枠骨の外方に、携帯酸素ボンベ等の器具を連結するための携帯酸素ボンベ取付部を設けた構造を示す概略説明図である。
【符号の説明】
【００６１】
Ａ    介護ペット用ケージ
１０  本体フレーム
１    取っ手
２    支持フレーム
３    枠骨
３１  頂部
２０  トレー
３０  キャスター
４０  透光性フード
５０  携帯酸素ボンベ取付部
【図１】
2005278652.tif 000003
【図２】
2005278652.tif 000004
【図３】
2005278652.tif 000005
【図４】
2005278652.tif 000006
【図５】
2005278652.tif 000007
【図６】
2005278652.tif 000008
【図７】
2005278652.tif 000009
【図８】
2005278652.tif 000010
【図９】
2005278652.tif 000011
【図１０】
2005278652.tif 000012
【図１１】
2005278652.tif 000013